(57)【特許請求の範囲】
【請求項１】
使用者が防護マスクを装着した状態で、前記使用者が着用する防護用フードであって、
使用者の頭部を覆う袋状のフード部と、
前記フード部の下端に連結し、前記使用者の胸囲を覆う胸囲覆部と、を備え、
前記胸囲覆部には、前記使用者の腕を通過させる開口部が設けられ、
前記フード部と前記胸囲覆部との連結領域には伸縮可能な首回弾性部材が設けられ、
前記開口部の周囲には伸縮可能な腕回弾性部材が設けられ、
前記胸囲覆部の裾部には伸縮可能な裾部弾性部材が設けられている、防護用フード。
【請求項２】
前記胸囲覆部は、
前記フード部の下端に連結し、前記使用者の胸側を覆う前身頃部と、
前記フード部の下端に連結し、前記使用者の背側を覆う後身頃部と、を含み、
前記腕回弾性部材は、
前記前身頃部の右側縁部に設けられた伸縮可能な右前弾性部材と、
前記後身頃部の右側縁部に設けられた伸縮可能な右後弾性部材と、
前記前身頃部の左側縁部に設けられた伸縮可能な左前弾性部材と、
前記後身頃部の左側縁部に設けられた伸縮可能な左後弾性部材と、を含み、
前記裾部弾性部材は、
前記前身頃裾部に設けられた伸縮可能な前身頃裾部弾性部材と、
前記後身頃裾部に設けられた伸縮可能な後身頃裾部弾性部材と、を含む、
請求項１に記載の防護用フード。
【請求項３】
前記前身頃部は、
前記前身頃部の前記前身頃裾部の右側端部に設けられる前身頃右側連結領域と、
前記前身頃部の前記前身頃裾部の左側端部に設けられる前身頃左側連結領域と、を含み、
前記後身頃部は、
前記後身頃部の前記後身頃裾部の右側端部に設けられる後身頃右側連結領域と、
前記後身頃部の前記後身頃裾部の左側端部に設けられる後身頃左側連結領域と、含み、
前記前身頃右側連結領域と前記後身頃右側連結領域とを連結した状態では、前記前身頃部の前記右側縁部と前記後身頃部の前記右側縁部とにより右腕を通過させる前記開口部としての右腕通過領域を形成し、
前記前身頃左側連結領域と前記後身頃左側連結領域とを連結した状態では、前記前身頃部の前記左側縁部と前記後身頃部の前記左側縁部とにより左腕を通過させる前記開口部としての左腕通過領域を形成する、
請求項２に記載の防護用フード。
【請求項４】
前記前身頃右側連結領域は、
裏面側に設けられる前身頃右裏面ファスナと、
下方に延び、裏面側に前身頃右下裏面ファスナを有する右側補助ベルトと、
を含み、
前記後身頃右側連結領域は、
表面側に設けられる後身頃右表面ファスナと、
裏面側に設けられる後身頃右裏面ファスナと、
を含み、
前記前身頃左側連結領域は、
裏面側に設けられる前身頃左裏面ファスナと、
下方に延び、裏面側に前身頃左下裏面ファスナを有する左側補助ベルトと、
を含み、
前記後身頃左側連結領域は、
表面側に設けられる後身頃左表面ファスナと、
裏面側に設けられる後身頃左裏面ファスナと、
を含み、
前記前身頃右側連結領域と前記後身頃右側連結領域とを連結した状態では、
前記前身頃右裏面ファスナと前記後身頃右表面ファスナとが連結されるとともに、前記右側補助ベルトを前記後身頃裾部の裏側に折り返すことで、前記前身頃右下裏面ファスナと前記後身頃右裏面ファスナとが連結され、
前記前身頃左側連結領域と前記後身頃左側連結領域とを連結した状態では、
前記後身頃左裏面ファスナと前記後身頃左表面ファスナとが連結されるとともに、前記左側補助ベルトを前記後身頃裾部の裏側に折り返すことで、前記前身頃左下裏面ファスナと前記後身頃左裏面ファスナとが連結されている、請求項３に記載の防護用フード。
【発明の詳細な説明】
【技術分野】
【０００１】
本発明は、防護用フードの構造に関する。
【背景技術】
【０００２】
有害な物質が存在する状況の中で作業を行なう場合、作業者は防護服および防護マスクを装着する。たとえば、特開２０１４−４３６５２号公報（特許文献１）には、外部の音を明瞭に聴取できる防護服（防護用フード）が開示されている。特開２００７−２７５１９０号公報（特許文献２）には、電動ファン付き呼吸用防護具（防護用フード）が開示されている。
【先行技術文献】
【特許文献】
【０００３】
【特許文献１】特開２０１４−４３６５２号公報
【特許文献２】特開２００７−２７５１９０号公報
【発明の概要】
【発明が解決しようとする課題】
【０００４】
しかしながら、上記のような従来の防護用フードでは、粒子状またはガス状の有害物質の存在下、フード内部が陰圧となった場合や周囲にある程度の風が吹いている場合には、フード裾部分から有害物質がフード内部に漏れ込み、使用者が汚染されてしまう可能性がある。
【０００５】
この発明の目的は、上記課題に鑑みてなされたものであって、内部に有害物質が漏れ込みにくく安全性に優れた防護用フードを提供することにある。
【課題を解決するための手段】
【０００６】
この防護用フードにおいては、使用者が防護マスクを装着した状態で、上記使用者が着用する防護用フードであって、使用者の頭部を覆う袋状のフード部と、上記フード部の下端に連結し、上記使用者の胸囲を覆う胸囲覆部と、を備え、上記胸囲覆部には、上記使用者の腕を通過させる開口部が設けられ、上記フード部と上記胸囲覆部との連結領域には伸縮可能な首回弾性部材が設けられ、上記開口部の周囲には伸縮可能な腕回弾性部材が設けられ、上記胸囲覆部の裾部には伸縮可能な裾部弾性部材が設けられている。
【０００７】
この防護用フードは、首回弾性部材が設けられていることから、汚染された外気等の有害物質の頭部領域への漏れ込みを抑制することができる。また、腕回弾性部材が設けられていることから、汚染された外気等の有害物質の脇部から胸部領域への漏れ込みを抑制することができる。また、裾部弾性部材が設けられていることから、汚染された外気等の有害物質のみぞおち部から胸部領域への漏れ込みを抑制することができる。
【発明の効果】
【０００８】
この防護用フードによれば、内部に有害物質が漏れ込みにくく安全性に優れた防護用フードの提供を可能とする。
【図面の簡単な説明】
【０００９】
【図１】実施の形態における防護用フードの斜視図である。
【図２】実施の形態における防護用フードの正面図である。
【図３】実施の形態における防護用フードの背面図である。
【図４】実施の形態における防護用フードの右側面図である。
【図５】実施の形態における防護用フードの左側面図である。
【図６】実施の形態における前身頃部を展開した図である。
【図７】実施の形態における後身頃部を展開した図である。
【図８】実施の形態における後身頃部の裏面側に設けられる後身頃右裏面ファスナを示す図である。
【図９】使用者による防護用フードの装着手順を示す第１の図である。
【図１０】使用者による防護用フードの装着手順を示す第２の図である。
【図１１】使用者による防護用フードの装着手順を示す第３の図である。
【図１２】図１１中のＸＩＩ−ＸＩＩ線矢視断面図である。
【発明を実施するための形態】
【００１０】
本発明に基づいた実施の形態の防護用フードについて、以下、図面を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。また、図においては、実際の寸法比率では記載しておらず、構造の理解を容易にするために、一部比率を異ならせて記載している。
【００１１】
以下の説明において、「右」は、使用者にとっての右側を意味し、「左」は、使用者にとっての左を意味する。「上」は、使用者にとって頭部側を意味し、「下」、使用者にとって腹部側を意味する。「前」は、使用者にとって胸側を意味し、「後」は、使用者にとって背側を意味する。表および裏は、通常の使用と同様の意味で用ており、裏とは、使用者に接する側を意味し、表とは裏とは反対の側を意味する。
【００１２】
（防護用フード１００）
図１から図５を参照して、防護用フード１００の構造について説明する。図１は、防護用フード１００の斜視図、図２は、防護用フード１００の正面図、図３は、防護用フード１００の背面図、図４は、防護用フード１００の右側面図、図５は、防護用フード１００の左側面図である。
【００１３】
この防護用フード１００は、防護服を装着した使用者が、防護マスクと連結した状態で防護マスクを装面した後に着用する。防護用フード１００は、使用者の頭部を覆う袋状のフード部１０と、フード部１０の下端に連結し、使用者の胸囲を覆う胸囲覆部２０とを備える。胸囲覆部２０は、フード部１０の下端に連結し、使用者の胸側を覆う前身頃部１２０と、フード部１０の下端に連結し、使用者の背側を覆う後身頃部１３０と、を含む。
【００１４】
前身頃部１２０の前身頃裾部１２２の右側端部には、前身頃右側連結領域Ｒ１が設けられ、前身頃部１２０の前身頃裾部１２２の左側端部には、前身頃左側連結領域Ｌ１が設けられる。後身頃部１３０の後身頃裾部１３２の右側端部には、後身頃右側連結領域Ｒ２が設けられ、後身頃部１３０の後身頃裾部１３２の左側端部には、後身頃左側連結領域Ｌ２が設けられている。
【００１５】
本実施の形態において、防護用フード１００を構成するフード部１０、および、胸囲覆部２０は、有害物質が浸透され難い素材を用いて形成することが必要である。例えば、粒子状の有害物質に対しては比較的緻密な繊維を含むシート状の基材を用いるとよい。また、ガス状の有害物質に対してはガス吸着物質を含むシート状の基材、特に繊維状活性炭を用いるとよい。これらは単独での使用でも良いが、積層して用いてもよい。更にはこれらの基材を保護層で挟み込む構成としてもよい。
【００１６】
フード部１０は、前面部１１１、および、後頭部１１２とを含み、縫製により袋状に仕上げられている。前面部１１１には、使用者の着用する防護マスクの形態に合わせて、眼用開口部１１１ａ，１１１ｂ、および、口用開口部１１１ｃが設けられている。使用者の着用する防護マスクの形態には様々な種類があることから、眼用開口部１１１ａ，１１１ｂ、および、口用開口部１１１ｃが設けられる位置、大きさ等は、適宜変更される。
【００１７】
図４を参照して、前身頃右側連結領域Ｒ１と後身頃右側連結領域Ｒ２とを連結した状態では、前身頃部１２０の右側縁部１２０ｆ１と後身頃部１３０の右側縁部１３０ｆ１とにより使用者の右腕を通過させる開口部としての右腕通過領域１２０ａが形成される。
【００１８】
図５を参照して、前身頃左側連結領域Ｌ１と後身頃左側連結領域Ｌ２とを連結した状態では、前身頃部１２０の左側縁部１２０ｆ２と後身頃部１３０の左側縁部１３０ｆ２とにより使用者の左腕を通過させる開口部としての左腕通過領域１２０ｂが形成される。
【００１９】
この防護用フード１００は、防護服を装着した使用者が、防護マスクと連結した状態で防護マスクを装面した後に着用する。そのため、視界が防護マスクにより狭められた状態での着用となる。この場合に、使用者は、前身頃右側連結領域Ｒ１と後身頃右側連結領域Ｒ２とは離した状態、および、前身頃左側連結領域Ｌ１と後身頃左側連結領域Ｌ２とを離した状態で、上方から容易にこの防護用フード１００を被ることができる。
【００２０】
さらに、前身頃右側連結領域Ｒ１および後身頃右側連結領域Ｒ２は、右腕の脇の下に位置することから、両腕を用いて前身頃右側連結領域Ｒ１および後身頃右側連結領域Ｒ２の着脱操作を行なうことができる。同様に、前身頃左側連結領域Ｌ１および後身頃左側連結領域Ｌ２は、左腕の脇の下に位置することから、両腕を用いて前身頃左側連結領域Ｌ１および後身頃左側連結領域Ｌ２の着脱操作を行なうことができる。
【００２１】
（防護用フード１００の詳細構造）
図６から図８を参照して、防護用フード１００の詳細構造について説明する。図６は、前身頃部１２０を展開した図、図７は、後身頃部１３０を展開した図、図８は、後身頃部１３０の裏面側に設けられる後身頃右裏面ファスナＢ２ａを示す図である。
【００２２】
図６および図７を参照して、フード部１０の下端と前身頃部１２０および後身頃部１３０との連結領域には、伸縮可能な首回弾性部材１１０ｇが設けられている。弾性部材として具体的には、紐状のゴム部材を縫製により編み込むことで、首回りに伸縮性を持たせることができる。
【００２３】
これにより、汚染された外気等の有害物質の頭部領域への漏れ込みを抑制することができる。単なる紐状部材を首回りに配置して、適宜紐状部材の長さを調節可能にすることによっても、同様の作用効果を得ることができる。
【００２４】
前身頃部１２０の右側縁部１２０ｆ１には、腕回弾性部材としての伸縮可能な右前弾性部材１２１ｇ１が設けられている。前身頃部１２０の左側縁部１２０ｆ２には、腕回弾性部材としての伸縮可能な左前弾性部材１２１ｇ２が設けられている。後身頃部１３０の右側縁部１３０ｆ１には、腕回弾性部材としての伸縮可能な右後弾性部材１３１ｇ１が設けられている。後身頃部１３０の左側縁部１３０ｆ２には、腕回弾性部材としての伸縮可能な左後弾性部材１３１ｇ２が設けられている。右前弾性部材１２１ｇ１と右後弾性部材１３１ｇ１とは、連続するように設けられている。左前弾性部材１２１ｇ２と左後弾性部材１３１ｇ２とは、連続するように設けられている。弾性部材として具体的には、紐状のゴム部材を縫製により編み込むことで、腕回りに伸縮性を持たせることができる。
【００２５】
これにより、汚染された外気等の有害物質の脇部から胸部領域への漏れ込みを抑制することができる。単なる紐状部材を脇の回りに配置して、適宜紐状部材の長さを調節可能にすることによっても、同様の作用効果を得ることができる。
【００２６】
前身頃裾部１２２には、裾部弾性部材としての伸縮可能な前身頃裾部弾性部材１２２ｇが設けられ、後身頃裾部１３２には、裾部弾性部材としての伸縮可能な後身頃裾部弾性部材１３２ｇが設けられている。弾性部材として具体的には、紐状のゴム部材を縫製により編み込むことで、胸回りに伸縮性を持たせることができる。
【００２７】
これにより、汚染された外気等の有害物質のみぞおち部から胸部領域への漏れ込みを抑制することができる。単なる紐状部材を胸の回りに配置して、適宜紐状部材の長さを調節可能にすることによっても、同様の作用効果を得ることができる。
【００２８】
前身頃右側連結領域Ｒ１は、裏面側に設けられる前身頃右裏面ファスナＡ１ａと、下方に延びる右側補助ベルト１２３ａとを有する。右側補助ベルト１２３ａは、裏面側に前身頃右下裏面ファスナＢ１ａを含む。
【００２９】
前身頃左側連結領域Ｌ１は、裏面側に設けられる前身頃左裏面ファスナＡ１ｂと、下方に延びる左側補助ベルト１２３ｂとを有する。左側補助ベルト１２３ｂは、裏面側に前身頃左下裏面ファスナＢ１ｂを含む。
【００３０】
後身頃右側連結領域Ｒ２は、表面側に設けられる後身頃右表面ファスナＡ２ａと、裏面側に設けられる後身頃右裏面ファスナＢ２ａ（図８参照）とを含む。
【００３１】
後身頃左側連結領域Ｌ２は、表面側に設けられる後身頃左表面ファスナＡ２ｂと、裏面側に設けられる後身頃左裏面ファスナＢ２ｂとを含む。
【００３２】
次に、図９から図１２を参照して、上述の前身頃右側連結領域Ｒ１と後身頃右側連結領域Ｒ２との連結、および、前身頃左側連結領域Ｌ１と後身頃左側連結領域Ｌ２との連結について説明する。なお、左側と右側とは同じであることから、以下では、使用者の左側についてのみ説明する。図９から図１１は、使用者１による防護用フード１００の装着手順を示す第１から第３の図、図１２は、図１１中のＸＩＩ−ＸＩＩ線矢視断面図である。
【００３３】
図９を参照して、使用者は、前身頃左側連結領域Ｌ１と後身頃左側連結領域Ｌ２とを非連結状態にして、防護服および防護マスクを装着した状態で、防護マスクの上から防護用フード１００着用する。そのため、視界が防護マスクにより狭められた状態での着用となる。この場合に、使用者は、前身頃部１２０、および、後身頃部１３０を前後に大きく開いた状態で、フード部１０を被ることができる。
【００３４】
図１０を参照して、後身頃左側連結領域Ｌ２に設けられた後身頃左表面ファスナＡ２ｂの上に前身頃左側連結領域Ｌ１に設けられた前身頃左裏面ファスナＡ１ｂを重ね合せて、後身頃左表面ファスナＡ２ｂと前身頃左裏面ファスナＡ１ｂとを連結させる。この際、前身頃左側連結領域Ｌ１および後身頃左側連結領域Ｌ２は、左腕の脇の下に位置することから、両腕を用いて容易に、後身頃左表面ファスナＡ２ｂの上に前身頃左裏面ファスナＡ１ｂを装着することができる。
【００３５】
図１１および図１２を参照して、左側補助ベルト１２３ｂを後身頃裾部１３２の裏側に折り返して、前身頃左下裏面ファスナＢ１ｂと後身頃左裏面ファスナＢ２ｂとを連結させる。
【００３６】
右側においても同様に、前身頃右側連結領域Ｒ１と後身頃右側連結領域Ｒ２とを連結した状態では、前身頃右裏面ファスナＡ１ａと後身頃右表面ファスナＡ２ａとが連結されるとともに、右側補助ベルト１２３ａを後身頃裾部１３２の裏側に折り返すことで、前身頃右下裏面ファスナＢ１ａと後身頃右裏面ファスナＢ２ａとが連結される。
【００３７】
このように、両脇の下においては、使用者は、左右の手を用いることができることから、使用者は、防護服および防護マスクを装着した比較的不自由な状態でも、前身頃左側連結領域Ｌ１と後身頃左側連結領域Ｌ２との連結、および、前身頃右側連結領域Ｒ１と後身頃右側連結領域Ｒ２との連結を行なうことができる。
【００３８】
また、各領域の連結には面ファスナを用いることで、各領域の着脱を容易にしている。さらに、左側補助ベルト１２３ｂを後身頃裾部１３２の裏側に折り返して、前身頃左下裏面ファスナＢ１ｂと後身頃左裏面ファスナＢ２ｂとを連結させていることから、左側補助ベルト１２３ｂが外乱によって外れることはなく、装着状態をより安定させることを可能としている。右側も同様である。
【００３９】
また、各領域の連結には面ファスナを用いることで、使用者の体型（胸囲のサイズ）に応じて着脱領域を変化させることもできる。
【００４０】
なお、上記実施の形態では、前身頃右側連結領域Ｒ１と後身頃右側連結領域Ｒ２との連結、および、前身頃左側連結領域Ｌ１と後身頃左側連結領域Ｌ２との連結には、面ファスナ、および、補助ベルトを用いた構造について説明したが、必ずしもこの構造には限定されない。両手を用いることが脇の下に上記連結領域を位置させる構造であれば、ボタン、スナップ等を用いた公知の脱着が可能な連結構造を適用することが可能である。
【００４１】
以上、本発明に基づいた実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４２】
１  使用者、１０  フード部、２０  胸囲覆部、１００  防護用フード、１１０ｇ  首回弾性部材、１１１  前面部、１１１ａ，１１１ｂ  眼用開口部、１１１ｃ  口用開口部、１１２  後頭部、１２０  前身頃部、１２０ａ  右腕通過領域、１２０ｂ  左腕通過領域、１２０ｆ１，１３０ｆ１  右側縁部、１２０ｆ２，１３０ｆ２  左側縁部、１２１ｇ１  右前弾性部材、１２１ｇ２  左前弾性部材、１２２  前身頃裾部、１２２ｇ  前身頃裾部弾性部材、１２３ａ  右側補助ベルト、１２３ｂ  左側補助ベルト、１３０  後身頃部、１３１ｇ１  右後弾性部材、１３１ｇ２  左後弾性部材、１３２  後身頃裾部、１３２ｇ  後身頃裾部弾性部材、Ａ１ａ  前身頃右裏面ファスナ、Ａ１ｂ  前身頃左裏面ファスナ、Ａ２ａ  後身頃右表面ファスナ、Ａ２ｂ  後身頃左表面ファスナ、Ｂ１ａ  前身頃右下裏面ファスナ、Ｂ１ｂ  前身頃左下裏面ファスナ、Ｂ２ａ  後身頃右裏面ファスナ、Ｂ２ｂ  後身頃左裏面ファスナ、Ｌ１  前身頃左側連結領域、Ｌ２  後身頃左側連結領域、Ｒ１  前身頃右側連結領域、Ｒ２  後身頃右側連結領域。
【要約】
【課題】内部に有害物質が漏れ込みにくく安全性に優れた防護用フードを提供する。
【解決手段】この防護用フード１００は、フード部１０の下端に連結し、使用者の胸囲を覆う胸囲覆部２０を備え、胸囲覆部２０には、使用者の腕を通過させる開口部１２０ａ，１２０ｂが設けられ、フード部１０と胸囲覆部２０との連結領域には伸縮可能な首回弾性部材１１０ｇが設けられ、開口部１２０ａ，１２０ｂの周囲には伸縮可能な腕回弾性部材１２１ｇ１，１２１ｇ２，１３１ｇ１，１３１ｇ２が設けられ、胸囲覆部２０の裾部には伸縮可能な裾部弾性部材１２２ｇ，１３２ｇが設けられている。
【選択図】図１【図１】
0005967326.tif 000002
【図２】
0005967326.tif 000003
【図３】
0005967326.tif 000004
【図４】
0005967326.tif 000005
【図５】
0005967326.tif 000006
【図６】
0005967326.tif 000007
【図７】
0005967326.tif 000008
【図８】
0005967326.tif 000009
【図９】
0005967326.tif 000010
【図１０】
0005967326.tif 000011
【図１１】
0005967326.tif 000012
【図１２】
0005967326.tif 000013